(57)【要約】【課題】オブジェクトへのアクセスを拒否されたユーザに対するアクセス権を、管理者により円滑に設定する。【解決手段】ユーザがオブジェクトにアクセスできなかった際に、アクセスできなかったユーザの情報をオブジェクト管理システム上で利用可能（読み出し及び書き込み可能）な状態で記録しておく。オブジェクトの所有者は、オブジェクトのプロパティ画面上で、ボタンをクリックするだけで、アクセスできなかったユーザ情報を呼び出す。ＵＩ画面を通してアクセスできなかったユーザが一覧表示され、オブジェクトの所有者はこの画面から各ユーザのアクセス権を設定する。【選択図】  図１
2008015600.tif 000002
【特許請求の範囲】
【請求項１】
オブジェクトを記憶する記憶手段と、
前記記憶手段に記憶されている各オブジェクトに対するアクセス権が与えられたユーザの識別子と該ユーザが持つアクセス権とを対応付けたアクセス権情報を記憶するアクセス権情報記憶手段と、
前記記憶手段に記憶されているオブジェクトに対するアクセスの要求があったときに、前記アクセス権情報記憶手段に記憶されているアクセス権情報を参照して、該アクセスの要求元のユーザにオブジェクトへのアクセス権が与えられているかどうかを判断して、オブジェクトへのアクセスを制限するアクセス制御手段と、
前記アクセス制御手段によってオブジェクトへのアクセスが拒否されたユーザの識別子、アクセスが拒否されたオブジェクトに対するアクセス権、並びにアクセスが拒否されたオブジェクトの識別子を含むアクセス拒否ユーザ情報を記憶するアクセス拒否ユーザ情報記憶手段と、
前記記憶手段に記憶されているオブジェクトの管理者若しくは所有者に該オブジェクトに対する前記アクセス拒否ユーザ情報を提示するアクセス拒否ユーザ情報提示手段と、
前記オブジェクトの管理者若しくは所有者からの要求に応じて、前記アクセス拒否ユーザ情報提示手段が提示したアクセス拒否ユーザ情報に含まれるユーザのアクセス権を前記アクセス権情報に設定又は設定内容の変更を行なうアクセス権設定手段と、
を具備することを特徴とするオブジェクト管理システム。
【請求項２】
記憶手段に記憶されている各オブジェクトに対するアクセス権が与えられたユーザと該ユーザが持つアクセス権の内容を記憶するアクセス権情報に基づいてオブジェクトへのアクセスを制御するオブジェクト管理方法であって、
前記記憶手段に記憶されているオブジェクトに対するアクセスの要求があったときに、前記アクセス権情報を参照して、該アクセスの要求元のユーザにオブジェクトへのアクセス権が与えられているかどうかを判断して、オブジェクトへのアクセスを制限するアクセス制御ステップと、
前記アクセス制御ステップにおいてオブジェクトへのアクセスが拒否されたユーザの識別子、アクセスが拒否されたオブジェクトに対するアクセス権、並びにアクセスが拒否されたオブジェクトの識別子を含むアクセス拒否ユーザ情報を記憶するアクセス拒否ユーザ情報記憶ステップと、
オブジェクトの管理者若しくは所有者に該オブジェクトに対する前記アクセス拒否ユーザ情報を提示するアクセス拒否ユーザ情報提示ステップと、
前記オブジェクトの管理者若しくは所有者からの要求に応じて、前記アクセス拒否ユーザ情報提示ステップで提示したアクセス拒否ユーザ情報に含まれるユーザのアクセス権を前記アクセス権情報に設定又は設定内容の変更を行なうアクセス権設定ステップと、
を具備することを特徴とするオブジェクト管理方法。
【請求項３】
記憶手段に記憶されている各オブジェクトに対するアクセス権が与えられたユーザと該ユーザが持つアクセス権の内容を記憶するアクセス権情報に基づいてオブジェクトへのアクセスを制御するための処理をコンピュータ上で実行するようにコンピュータ可読形式で記述されたコンピュータ・プログラムであって、前記コンピュータに対して、
前記記憶手段に記憶されているオブジェクトに対するアクセスの要求があったときに、前記アクセス権情報を参照して、該アクセスの要求元のユーザにオブジェクトへのアクセス権が与えられているかどうかを判断して、オブジェクトへのアクセスを制限するアクセス制御手順と、
前記アクセス制御手順を実行した結果、オブジェクトへのアクセスが拒否されたユーザの識別子、アクセスが拒否されたオブジェクトに対するアクセス権、並びにアクセスが拒否されたオブジェクトの識別子を含むアクセス拒否ユーザ情報を記憶するアクセス拒否ユーザ情報記憶手順と、
オブジェクトの管理者若しくは所有者に該オブジェクトに対する前記アクセス拒否ユーザ情報を提示するアクセス拒否ユーザ情報提示手順と、
前記オブジェクトの管理者若しくは所有者からの要求に応じて、前記アクセス拒否ユーザ情報提示手段で提示したアクセス拒否ユーザ情報に含まれるユーザのアクセス権を前記アクセス権情報に設定又は設定内容の変更を行なうアクセス権設定手順と、
を実行させることを特徴とするコンピュータ・プログラム。
【請求項４】
オブジェクトの管理者若しくは所有者が使用する情報処理装置に表示されたオブジェクトのプロパティ画面上でアクセス権設定要求がなされたことに応じて、前記アクセス拒否ユーザ情報提示手順が起動する、
ことを特徴とする請求項３に記載のコンピュータ・プログラム。
【請求項５】
前記アクセス拒否ユーザ情報記憶手順では、オブジェクトの管理者若しくは所有者が選択した内容のアクセス権についてのみ、オブジェクトへのアクセスが拒否された前記アクセス拒否ユーザ情報を記憶する、
ことを特徴とする請求項３に記載のコンピュータ・プログラム。
【発明の詳細な説明】
【技術分野】
【０００１】
本発明は、文書の参照、編集、複写といったユーザからオブジェクトへのアクセス権限を設定可能なオブジェクト管理システム及びオブジェクト管理方法、並びにコンピュータ・プログラムに係り、特に、オブジェクトへのアクセスを拒否されたユーザに対してオブジェクトの管理者又は所有者がアクセス権を設定するオブジェクト管理システム及びオブジェクト管理方法、並びにコンピュータ・プログラムに関する。
【背景技術】
【０００２】
情報技術の発展に伴い、文書を始めとする資源オブジェクトを電子データ化して、ネットワーク上で複数ユーザの利用に供するシステムが普及している。この種の文書管理システムでは、登録されている文書に対する参照、編集、複写といったユーザからのアクセスを制限するというアクセス権限の考え方が一般的である。とりわけ、ネットワークの利用範囲の拡大やシステムの分散化に伴い、コンピュータ・セキュリティと同様の問題が複雑な形で発生し、オブジェクトへのアクセス制御が不可欠の技術的課題である。
【０００３】
アクセス権管理の代表的な方法として、アクセス制御リスト（Ａｃｃｅｓｓ  Ｃｏｎｔｒｏｌ  Ｌｉｓｔ：ＡＣＬ）が知られている。アクセス制御リストは、個々のオブジェクトへのアクセスが許されているプリンシパル（ユーザやグループなど）と与えられているアクセス権限とをオブジェクト毎にリストとして管理するのが一般的な構造である。
【０００４】
通常、アクセス権の設定は、オブジェクトを作成したときに親オブジェクトのアクセス権を引き継がせたり、オブジェクト作成時にアクセスするユーザが追加したりする。また、それ以降にオブジェクトを編集するときは、アクセス権を持たないユーザがオブジェクトにアクセスしようとすると、管理者に対して依頼を発行し、管理者はその都度アクセス権を付与する手続きを行なう必要があり、非常に手間がかかってしまうという問題がある。
【０００５】
例えば、ネットワーク上に存在する制限的に利用可能な資源を利用する利用者からの要求によるアクセス権の設定が可能なアクセス権設定装置について提案がなされている（例えば、特許文献１を参照のこと）。同装置は、ネットワークの資源へのアクセスを制限された利用者からの、資源、時間、アクセス内容などのアクセス権の設定内容が記述されたアクセス要求情報を受信すると、このアクセス要求情報を資源の管理者へ転送し、管理者が要求内容を確認して承認を下したことに応答してアクセス権の設定を行なうようになっている。
【０００６】
しかしながら、利用者は、資源の利用が制限されているときにアクセス要求情報を作成してこれを管理者へ転送する手間を要する。また、管理者は、要求内容を確認しなければならないが、資源へのアクセス要求が頻繁に発生する場合には、その確認作業は煩わしいものとなる。
【０００７】
【特許文献１】ＷＯ０１／０８２０２８６
【発明の開示】
【発明が解決しようとする課題】
【０００８】
本発明の目的は、文書の参照、編集、複写といったユーザからオブジェクトへのアクセス権限を好適に設定することができる、優れたオブジェクト管理システム及びオブジェクト管理方法、並びにコンピュータ・プログラムを提供することにある。
【０００９】
本発明のさらなる目的は、オブジェクトへのアクセスを拒否されたユーザに対するアクセス権を、オブジェクトの管理者若しくは所有者により円滑に設定することができる、優れたオブジェクト管理システム及びオブジェクト管理方法、並びにコンピュータ・プログラムを提供することにある。
【課題を解決するための手段】
【００１０】
本発明は、上記課題を参酌してなされたものであり、その第１の側面は、オブジェクトを記憶する記憶手段と、前記記憶手段に記憶されている各オブジェクトに対するアクセス権が与えられたユーザの識別子と該ユーザが持つアクセス権とを対応付けたアクセス権情報を記憶するアクセス権情報記憶手段と、前記記憶手段に記憶されているオブジェクトに対するアクセスの要求があったときに、前記アクセス権情報記憶手段に記憶されているアクセス権情報を参照して、該アクセスの要求元のユーザにオブジェクトへのアクセス権が与えられているかどうかを判断して、オブジェクトへのアクセスを制限するアクセス制御手段と、前記アクセス制御手段によってオブジェクトへのアクセスが拒否されたユーザの識別子、アクセスが拒否されたオブジェクトに対するアクセス権、並びにアクセスが拒否されたオブジェクトの識別子を含むアクセス拒否ユーザ情報を記憶するアクセス拒否ユーザ情報記憶手段と、前記記憶手段に記憶されているオブジェクトの管理者若しくは所有者に該オブジェクトに対する前記アクセス拒否ユーザ情報を提示するアクセス拒否ユーザ情報提示手段と、前記オブジェクトの管理者若しくは所有者からの要求に応じて、前記アクセス拒否ユーザ情報提示手段が提示したアクセス拒否ユーザ情報に含まれるユーザのアクセス権を前記アクセス権情報に設定又は設定内容の変更を行なうアクセス権設定手段を具備することを特徴とするオブジェクト管理システムである。
【００１１】
ネットワーク上のオブジェクトを管理する手法として、アクセス制御リストが一般的であるが、オブジェクトを作成した以降、これを編集しようとするユーザに新規のアクセス権を設定する作業は煩雑である。
【００１２】
そこで、本発明に係るオブジェクト管理システムでは、ユーザがオブジェクトにアクセスできなかった際には、アクセスできなかったユーザの情報をオブジェクト管理システム上で利用可能（読み出し及び書き込み可能）な状態で記録しておくようにしている。
【００１３】
オブジェクトの所有者は、当該システムにアクセスすると、例えばオブジェクトのプロパティ画面上でボタンをクリックするだけで、当該オブジェクトにアクセスできなかったユーザ情報を呼び出すことができる。そして、このような選択操作に応答して、ＵＩ画面上では、アクセスできなかったユーザが一覧表示される。オブジェクトの所有者は、この画面を介して、自分のオブジェクトへのアクセスが拒否された各ユーザの情報を確認して、必要に応じて各ユーザにアクセス権を設定することができる。
【００１４】
また、オブジェクトへのアクセス権には、一般に検索表示権、読み出し権、書き込み権などがある。本発明に係るオブジェクト管理システムでは、オブジェクトにアクセスしたユーザが、どのアクセス権が拒否されたときにユーザ情報を記録するかを、オブジェクトの管理者若しくは所有者が選択することができる。
【００１５】
例えば、オブジェクトの管理者若しくは所有者がアクセス権のうち読み出し権のみを新規に設定したいときには、その旨をシステムに設定しておけば、上述したＵＩ画面には、オブジェクトに対する読み出し権が拒否されたユーザ情報だけが一覧表示されるので、オブジェクトの管理者若しくは所有者はユーザ情報の確認を行ない易くなる。
【００１６】
また、本発明の第２の側面は、記憶手段に記憶されている各オブジェクトに対するアクセス権が与えられたユーザと該ユーザが持つアクセス権の内容を記憶するアクセス権情報に基づいてオブジェクトへのアクセスを制御するための処理をコンピュータ上で実行するようにコンピュータ可読形式で記述されたコンピュータ・プログラムであって、前記コンピュータに対して、前記記憶手段に記憶されているオブジェクトに対するアクセスの要求があったときに、前記アクセス権情報を参照して、該アクセスの要求元のユーザにオブジェクトへのアクセス権が与えられているかどうかを判断して、オブジェクトへのアクセスを制限するアクセス制御手順と、前記アクセス制御手順を実行した結果、オブジェクトへのアクセスが拒否されたユーザの識別子、アクセスが拒否されたオブジェクトに対するアクセス権、並びにアクセスが拒否されたオブジェクトの識別子を含むアクセス拒否ユーザ情報を記憶するアクセス拒否ユーザ情報記憶手順と、オブジェクトの管理者若しくは所有者に該オブジェクトに対する前記アクセス拒否ユーザ情報を提示するアクセス拒否ユーザ情報提示手順と、前記オブジェクトの管理者若しくは所有者からの要求に応じて、前記アクセス拒否ユーザ情報提示手段で提示したアクセス拒否ユーザ情報に含まれるユーザのアクセス権を前記アクセス権情報に設定又は設定内容の変更を行なうアクセス権設定手順を実行させることを特徴とするコンピュータ・プログラムである。
【００１７】
本発明の第２の側面に係るコンピュータ・プログラムは、コンピュータ上で所定の処理を実現するようにコンピュータ可読形式で記述されたコンピュータ・プログラムを定義したものである。換言すれば、本発明の第２の側面に係るコンピュータ・プログラムをコンピュータにインストールすることによって、コンピュータ上では協働的作用が発揮され、本発明の第１の側面に係るオブジェクト管理システムと同様の作用効果を得ることができる。
【発明の効果】
【００１８】
本発明によれば、文書の参照、編集、複写といったユーザからオブジェクトへのアクセス権限を好適に設定することができる、優れたオブジェクト管理システム及びオブジェクト管理方法、並びにコンピュータ・プログラムを提供することができる。
【００１９】
また、本発明によれば、オブジェクトへのアクセスを拒否されたユーザに対するアクセス権を、管理者により円滑に設定することができる、優れたオブジェクト管理システム及びオブジェクト管理方法、並びにコンピュータ・プログラムを提供することができる。
【発明を実施するための最良の形態】
【００２０】
以下、図面を参照しながら本発明の実施形態について詳解する。
【００２１】
本発明は、文書、図面、画像、スケジュール表、フォルダなどのオブジェクトを管理する情報管理システムに関するものであり、文書の参照、編集、複写といったユーザからオブジェクトへのアクセス権限を設定可能である。図１には、本発明の一実施形態に係る文書管理システム１の機能的構成を模式的に示している。
【００２２】
文書管理装置１０は、制御装置１１０と記憶装置１２０を備えている。文書管理装置１０は、実際には、パーソナル・コンピュータ（ＰＣ）などの一般的な計算機システム上で構成することができる。
【００２３】
制御装置１１０は、入出力装置１１１と、セキュリティ管理装置１１２と、検索装置１１３で構成される。
【００２４】
入出力装置１１１は、ネットワーク経由でクライアント２０との間でデータの入出力動作を行なう。
【００２５】
セキュリティ管理装置１１２は、入出力装置１１１を通してクライアント２０とデータ通信を行なう際における認証処理や暗号化処理といったコンピュータ・ネットワーク上のセキュリティ管理を行なう。また、セキュリティ管理装置１１２は、検索装置１１３によって文書レポジトリを検索する文書に関して、クライアント２０が持つアクセス権限に従ってアクセスの可否を判断するが、その詳細については後述に譲る。
【００２６】
検索装置１１３は、入出力装置１１１を通じてクライアント２０から受け取った検索条件に従って、記憶装置１２０から該当する文書を検索する。検索装置１１３は、過去の検索履歴を検索データベース１２３に格納するとともに、新規文書検索の際に検索データベース１２３を再利用する。
【００２７】
記憶装置１２０は、アクセス制御リスト（ＡＣＬ）データベース１２１と、属性データベース１２２と、検索データベース１２３と、文書リポジトリ１２４を備えている。記憶装置１２０の実体は、当該文書管理装置１０にローカル接続されるハード・ディスクなどの外部記憶装置、若しくはネットワーク上の大規模記憶装置である。
【００２８】
ＡＣＬは、オブジェクトへのアクセスが許されているユーザ（又はユーザ・グループ）と与えられているアクセス権限をリストとした管理するものであり（周知）、ＡＣＬデータベース１２１では、オブジェクト毎のＡＣＬを格納している。
【００２９】
文書リポジトリ１２４は、当該文書管理装置１０に登録された文書などのオブジェクトのエンティティを格納し、又はオブジェクト・エンティティの保管場所への参照情報を格納している。属性データベース１２２には、文書リポジトリ１２４に登録されている文書オブジェクト毎のファイル名、概要、説明などが格納されている。検索データベース１２３には、文書リポジトリ１２４に格納されている各文書オブジェクトに関連する目的情報（例えば、検索キーに基づいてオブジェクトの検索を行なうための情報）が関連付けて格納されている。
【００３０】
本実施形態に係る文書管理装置１０は、オブジェクトにアクセスできなかったユーザの情報を記録し、オブジェクトの所有者がユーザの情報を確認してアクセス権を設定する仕組みを導入している。図２には、この仕組みを実現するための機能的構成を図解している。
【００３１】
制御装置１１０内では、検索装置１１３は、入出力装置１１１を介してクライアント端末２０から受け取ったアクセス要求に応じて、検索データベース１２３及び属性データベース１２２を用いて、文書レポジトリ１２４に格納されたオブジェクトの検索を行なう。
【００３２】
また、セキュリティ管理装置１１２は、入出力装置１１を介してクライアント端末２０からアクセス要求を受け取ると、ＡＣＬデータベース１２１を参照して、クライアント端末２０のユーザが要求するオブジェクトの操作に関する正当なアクセス権限を有しているかどうかをチェックする。
【００３３】
本実施形態では、ＡＣＬデータベース１２１は、オブジェクト毎のＡＣＬを格納するアクセス権リスト記憶部１２１Ａの他に、アクセス権拒否ユーザ記憶部１２１を備えている。
【００３４】
セキュリティ管理装置１１２は、ユーザがオブジェクトにアクセスできなかった際には、そのユーザの情報、利用可能（読み出し及び書き込み可能）な状態でアクセス権拒否ユーザ記憶部１２１Ｂに記録する。
【００３５】
アクセス権拒否ユーザ記憶部１２１Ｂは、アクセスが拒否されたユーザの識別子、拒否されたアクセス権、並びにアクセスが拒否されたオブジェクトの識別子などを、利用可能（読み出し及び書き込み可能）な状態で記憶する。
【００３６】
オブジェクトの管理者若しくは所有者が、クライアント端末２０のユーザとして、入出力装置１１１経由でアクセス権設定要求を行なうと、セキュリティ管理装置１１３は、当該ユーザが管理若しくは所有するオブジェクトへのアクセスが拒否されたユーザの情報をアクセス権拒否ユーザ記憶部１２１Ｂから読み出し、クライアント端末２０のＵＩ画面を通して、オブジェクトにアクセスできなかったユーザの一覧表示を出力される。
【００３７】
そして、この一覧表示画面上で、オブジェクトの管理者若しくは所有者が、ある特定のアクセス拒否ユーザを表示するボタンをクリックすると、当該ユーザの情報とアクセスが拒否されたオブジェクト及び拒否された操作の情報がアクセス拒否ユーザ情報記憶部１２１Ｂからセキュリティ管理装置１１３に読み込まれ、アクセス権リスト記憶部１２１Ａにアクセス権が設定される。
【００３８】
図３には、オブジェクトの管理者若しくは所有者のＵＩ画面上に表示される、オブジェクトのプロパティ画面の構成例を示している。オブジェクトに管理権若しくは所有権を持つユーザがプロパティ画面を表示した際、オブジェクトに対してアクセスが拒否されたユーザが存在する場合には、図示の「アクセス権設定要求」ボタンが表示される。
【００３９】
図４には、「アクセス権設定要求」ボタンがクリックされたときに表示される、オブジェクトにアクセスできなかったユーザの一覧表示画面の構成例を示している。
【００４０】
オブジェクトの管理者若しくは所有者は、図示の画面を通して、どのユーザが、オブジェクトに関するどのアクセス権でアクセスが拒否されたかを一覧することができる。そして、アクセス拒否ユーザにアクセス権を設定する場合には、該当するレコードの左端のチェック・ボックスにチェックを入れて、適用ボタンを押して、アクセス権の設定要求を行なう。
【００４１】
これに応答して、オブジェクトの管理者若しくは所有者が操作するクライアント端末２０から文書管理装置１０内のセキュリティ管理装置１１３にアクセス権設定要求が発行され、セキュリティ管理装置１１３は、この要求にしたがって、アクセス権リスト記憶部１２１Ａに、当該アクセス拒否ユーザのアクセス権を新規登録するか、又は、現登録内容の変更を行なう。
【００４２】
図５には、図４に示したアクセス拒否ユーザの一覧を表示するための処理手順をフローチャートの形式で示している。
【００４３】
図３に示したアクセス権設定のＵＩ画面上で、「アクセス権設定要求」ボタンがクリックされると、文書管理装置１０内のセキュリティ管理装置１１３に、アクセス権設定要求が発行される（ステップＳ１）。
【００４４】
オブジェクトへのアクセス権には、一般に検索表示権、読み出し権、書き込み権などがあるが、オブジェクトの管理者又は所有者は、オブジェクトにアクセスしたユーザが、どのアクセス権が拒否されたときにユーザ情報を記録するかを選択することができる。セキュリティ管理装置１１３は、アクセス権情報設定より、表示するアクセス権を取得する（ステップＳ２）。
【００４５】
次いで、セキュリティ管理装置１１３は、アクセス拒否ユーザ情報記憶部１２１Ｂより、該当するオブジェクトに関して、ステップＳ２で設定されたアクセス権が拒否されたユーザの情報を取得する（ステップＳ３）。
【００４６】
そして、図４に示したアクセス権設定要求リストを作成し、オブジェクトの管理者若しくは所有者が操作するクライアント端末２０のＵＩ画面上に表示する。
【００４７】
図６には、オブジェクトへのアクセスが拒否されたユーザのアクセス権を設定若しくは設定変更するための処理手順をフローチャートの形式で示している。
【００４８】
オブジェクトの管理者若しくは所有者は、図４に示した画面を通して、どのユーザが、オブジェクトに関するどのアクセス権でアクセスが拒否されたかを一覧することができる。そして、アクセス拒否ユーザにアクセス権を設定する場合には、該当するレコードの左端のチェック・ボックスにチェックを入れて、適用ボタンを押して、アクセス権の設定要求を行なう（ステップＳ１１）。
【００４９】
これに応答して、オブジェクトの管理者若しくは所有者が操作するクライアント端末２０から文書管理装置１０内のセキュリティ管理装置１１３にアクセス権設定要求が発行され、セキュリティ管理装置１１３は、この要求に従って、アクセス権リスト記憶部１２１Ａに、当該アクセス拒否ユーザのアクセス権を新規登録するか、又は、現登録内容の変更を行なう（ステップＳ１２）。
【００５０】
ここで、アクセス権の変更処理に失敗すると、後続の処理をすべてスキップして、本処理ルーチンを終了する。
【００５１】
一方、アクセス権の変更処理に成功すると、アクセス権リスト記憶部１２１Ａより、アクセス権変更実行ユーザを削除するとともに（ステップＳ１３）、アクセス権拒否ユーザ情報記憶部１２１Ｂより、アクセス権変更実行ユーザを削除して（ステップＳ１４）、本処理ルーチンを終了する。
【産業上の利用可能性】
【００５２】
以上、特定の実施形態を参照しながら、本発明について詳解してきた。しかしながら、本発明の要旨を逸脱しない範囲で当業者が該実施形態の修正や代用を成し得ることは自明である。すなわち、例示という形態で本発明を開示してきたのであり、本明細書の記載内容を限定的に解釈するべきではない。本発明の要旨を判断するためには、特許請求の範囲を参酌すべきである。
【図面の簡単な説明】
【００５３】
【図１】図１は、本発明の一実施形態に係る文書管理システム１の機能的構成を模式的に示した図である。
【図２】図２は、オブジェクトにアクセスできなかったユーザの情報を記録し、オブジェクトの所有者がユーザの情報を確認してアクセス権を設定する仕組みを説明するための機能構成図である。
【図３】図３は、オブジェクトのプロパティ画面の構成例を示した図である。
【図４】図４は、オブジェクトにアクセスできなかったユーザの一覧表示画面の構成例を示した図である。
【図５】図５は、アクセス拒否ユーザの一覧を表示するための処理手順を示したフローチャートである。
【図６】図６は、オブジェクトへのアクセスが拒否されたユーザのアクセス権を設定若しくは設定変更するための処理手順を示したフローチャートである。
【符号の説明】
【００５４】
１…情報管理システム
１０…文書管理装置
１１０…制御装置
１１１…入出力装置
１１２…セキュリティ管理装置
１１３…検索装置
１２０…記憶装置
１２１…ＡＣＬデータベース
１２２…属性データベース
１２３…検索データベース
１２４…文書リポジトリ
２０…クライアント
【図１】
2008015600.tif 000003
【図２】
2008015600.tif 000004
【図５】
2008015600.tif 000005
【図６】
2008015600.tif 000006
【図３】
2008015600.tif 000007
【図４】
2008015600.tif 000008